(57)【要約】【課題】ガードレールまたはガードケーブル上を移動でき、かつガードレールよりも高い位置から飛びこもうとする石、あるいは路面すれすれの位置から飛び込もうとする石を防除する盛土法面の草刈り作業用飛石防止ネットを提供する。【解決手段】所定の大きさの網目を有する、ガードレール２０の高さよりも高い高さのネット本体１１と、ネット本体１１の下部に、ガードレール２０の長手方向に沿って所定間隔で設けられた、路肩と路面との間の段差を避けるために路面方向に延出させたアングル１４と、アングル１４間に張られた可撓性ネット１５と、ネット本体１１の背面に設けられ、ガードレール２０に載置可能な滑車１２と、ネット本体１１の背面に設けられ、ガードレール２０に当接する垂直なローラー１３とを備えた盛土法面の草刈り作業用飛石防止ネット。可撓性ネット１５の下部には、可撓性ネット１５のめくれ防止のためのチェーン１６を取り付ける。【選択図】図２
0003175688.tif 000002
【実用新案登録請求の範囲】
【請求項１】
所定の大きさの網目を有する、ガードレールの高さよりも高い高さのネット本体と、
前記ネット本体の下部に、ガードレールの長手方向に沿って所定間隔で設けられた、路肩と路面との間の段差を避けるために路面方向に延出させたアングルと、
前記アングル間に張られた可撓性ネットと、
前記ネット本体の背面に設けられ、ガードレールまたはガードケーブルに載置可能な滑車と、
前記ネット本体の背面に設けられ、前記ガードレールまたはガードケーブルに当接する垂直なローラーと
を備えた盛土法面の草刈り作業用飛石防止ネット。
【請求項２】
前記可撓性ネットのめくれ防止のためのチェーンを当該可撓性ネットの下部に取り付けた請求項１記載の盛土の裏面の草刈り作業用飛石防止ネット。
【考案の詳細な説明】
【技術分野】
【０００１】
本考案は、高速道路や一般道路において、植栽がされている盛土法面の草刈り作業を草刈機を用いて行う場合に石が道路に飛び込むことを防止するネットに関する。
【背景技術】
【０００２】
植栽がされている盛土法面の草刈り作業において、現状の法肩部の草刈りは、人力による手作業、もしくは路肩移動規制をかけて作業者による作業を行なっている。特に夏場の作業は、人力による作業では時間が掛かるのと、体力の消耗による疲労、体力低下が激しいため、作業の能率が落ちてしまう状況にある。
草刈機を使用すれば作業能率は上がるが、草刈機の刃に石が噛み込むと、道路内に石が飛び込む飛石の可能性が増える。
【０００３】
これを防止するため、特許文献１には、草刈作業時に草刈機を使用し草刈をする人以外が手で持ち草刈機の刈り刃近辺で安全、簡単に飛散防止のサポートができるよう、手で持つ部分を中折れできる２本の棒状もしくは３本の棒状にし、布もしくはネットの上部に取り付けた草刈り用飛散防止ネットが開示されている。しかし、このネットは、草刈機で作業している作業員とは別の作業員がネットを持って飛石が道路上に飛び込まないようにしているが、道路規制をするための標識車が移動しながらの作業であり、危険性が生じる。
【０００４】
特許文献２には、ネット部材と、このネット部材を支持する左右一対の支持管又は支持棒を中央ジョイントで繋いで成る横架部材と、作業者に装着され、横架部材を吊下げ保持する背負いベルトとからなり、作業者が一対の支持管又は支持棒を両手に持ってバランスさせ移動させる移動式防護ネットが開示されている。
【０００５】
特許文献３には、ネット部材と、一定間隔で道路沿いに配置される自立支柱部材とからなる草刈用飛散防止専用ネットが開示されている。
【０００６】
特許文献４には、ガードレールに係合して走行する駆動プーリ手段と、このプーリ手段に接続されかつガードレールに沿って延びるアームと、このアームに取り付けられかつガードレールに係合して走行するフリープーリと、前記アームに取り付けられて垂下するネットから成る道路防護装置が開示されている。
【先行技術文献】
【特許文献】
【０００７】
【特許文献１】特開２００５−３４１９５７号公報
【特許文献２】実用新案登録第３１４９１７５号公報
【特許文献３】実用新案登録第３１４９１７６号公報
【特許文献４】特開平９−１７７０４０号公報
【考案の概要】
【考案が解決しようとする課題】
【０００８】
前掲の特許文献１および２に開示されたネットは、作業員が手で持ったり背負いベルトで重量を支えたりしながら移動するものであり、ネット持ちの作業員が横歩きで歩くため、走行する車両を正面から確認するのに無理な姿勢となり、安全性が確保できない。
またネット持ちの作業員が道路の本線上に出る可能性があるため、走行車両との巻き込み事故が懸念される。
【０００９】
特許文献３のネットは、自立支柱部材でネット部材を道路上に支持するものであるが、移動の度に自立支柱部材を移し替える必要があり、これも作業員の負担が大きい。
特許文献４の装置は、ガードレールに取り付けてガードレールに沿って移動可能にしたものであるが、草刈機で作業している際に、ガードレール上を飛び越える石や、ネットの下部と路肩との隙間から飛び込む石に対しては侵入を防ぐことが難しいという問題があった。
【００１０】
そこで本考案は、ガードレールまたはガードケーブル上を移動でき、かつガードレールよりも高い位置から飛びこもうとする石、あるいは路面すれすれの位置から飛び込もうとする石を防除して、道路への石の侵入を効果的に防止することのできる盛土法面の草刈り作業用飛石防止ネットを提供することを目的とする。
【課題を解決するための手段】
【００１１】
上記問題点を検討した結果、草刈り作業自体は、人力作業よりも草刈機を使用して作業を行うことで時間短縮と作業員の疲労が少なくなると考えた。また飛石防止ネットは作業員が防護柵外で移動するタイプで、ガードレール・ガードケーブルを利用して支えることができれば強風等による倒れに対する安定性の向上とネットと草刈機の間隔が狭まることで、飛石防止の更なる安全性が増すのではないかと考え、本考案に至った。
【００１２】
本考案の盛土法面の草刈り作業用飛石防止ネットは、所定の大きさの網目を有する、ガードレールの高さよりも高い高さのネット本体と、前記ネット本体の下部に、ガードレールの長手方向に沿って所定間隔で設けられた、路肩と路面との間の段差を避けるために路面方向に延出させたアングルと、前記アングル間に張られた可撓性ネットと、前記ネット本体の背面に設けられ、ガードレールまたはガードケーブルに載置可能な滑車と、前記ネット本体の背面に設けられ、前記ガードレールまたはガードケーブルに当接する垂直なローラーとを備えたものである。
【００１３】
本考案においては、ネット本体は、ガードレールまたはガードケーブルに支持して滑車により軽い力で移動可能とし、草刈機による草刈り作業の作業位置の移動に伴い、作業員が移動させる。ネット本体の上部はガードレールまたはガードケーブルの高さよりも高いのでガードレールまたはガードケーブルを超えて飛び込もうとする石を防除することができる。路面すれすれの位置から飛び込もうとする石は、ネット本体の下部に設けられたアングルに張られた可撓性ネットにより防除することができる。
前記可撓性ネットの下部には、可撓性ネットのめくれ防止のためのチェーンを取り付けることが好ましい。
【考案の効果】
【００１４】
本考案によれば、所定の大きさの網目を有する、ガードレールの高さよりも高い高さのネット本体と、ネット本体の下部に、ガードレールの長手方向に沿って所定間隔で設けられた、路肩と路面との間の段差を避けるために路面方向に延出させたアングルと、アングル間に張られた可撓性ネットと、ネット本体の背面に設けられ、ガードレールまたはガードケーブルに載置可能な滑車と、ネット本体の背面に設けられ、前記ガードレールまたはガードケーブルに当接する垂直なローラーとを備えたことにより、ガードレールまたはガードケーブル上を移動でき、かつガードレールよりも高い位置から飛び込もうとする石、あるいは路面すれすれの位置から飛び込もうとする石を確実に防除して、道路への石の侵入を効果的に防止することができる。
【図面の簡単な説明】
【００１５】
【図１】本考案の実施の形態に係る盛土法面の草刈り作業用飛石防止ネットの正面図である。
【図２】本考案の実施の形態に係る盛土法面の草刈り作業用飛石防止ネットの側面図である。
【図３】本考案の実施の形態に係る盛土法面の草刈り作業用飛石防止ネットのアングルおよび可撓性ネットの部分を示す側面からの斜視図である。
【図４】本考案の実施の形態に係る盛土法面の草刈り作業用飛石防止ネットのアングルおよび可撓性ネットの部分を示す正面からの斜視図である。
【図５】本考案の実施の形態に係る盛土法面の草刈り作業用飛石防止ネットをガードレールに装着した状態を示す斜視図である。
【図６】図５の拡大側面斜視図である。
【図７】本考案の実施の形態に係る盛土法面の草刈り作業用飛石防止ネットをガードケーブルに装着した状態を示す斜視図である。
【図８】図７の拡大側面斜視図である。
【考案を実施するための形態】
【００１６】
以下、本考案の実施の形態を、図面を参照しながら具体的に説明する。
図１および図２に示すように、本考案の実施の形態に係る盛土法面の草刈り作業用飛石防止ネット（以下、単に「飛石防止ネット」と略称することがある。）１０は、所定の大きさの網目を有する、ガードレール２０の高さよりも高い高さのネット本体１１と、ネット本体１１の下部に、ガードレール２０の長手方向に沿って所定間隔で設けられた、路肩と路面との間の段差を避けるために路面方向に延出させたアングル１４と、アングル１４間に張られた可撓性ネット１５と、ネット本体１１の背面に設けられ、ガードレール２０またはガードケーブル３０に載置可能な滑車１２と、ネット本体１１の背面に設けられ、ガードレール２０またはガードケーブル３０に当接する垂直なローラー１３とを備えている。
【００１７】
また、可撓性ネット１５の下部には、可撓性ネット１５のめくれ防止のためのチェーン１６が取り付けられている。前記滑車１２は、ネット本体１１の背面に固定されたアーム１７により回転自在に取り付けられている。
【００１８】
ネット本体１１は、長方形状フレームに金網や樹脂製ネットを張るか、全体をパンチングメタルやエクスパディングメタルで構成することができる。ネット本体に金属を用いる場合は、設置時の重量を軽くするため、鉄製よりもアルミニウム合金製とすることが望ましい。
【００１９】
本実施の形態の飛石防止ネット１０をガードレール２０に設置した状態を図５，図６に示す。すなわち、ガードレール２０の上部に滑車１２が乗るようにセットし、アングル１４に張られた可撓性ネット１５が道路の縁石等の段差を覆うようにし、チェーン１６が車道側に垂れるようにする。このとき、ローラー１３はガードレール２０の上下の凸部に同時に接触しており、ネット本体１１を垂直状態に支持する。
【００２０】
この状態で、草刈機を用いた草刈りをしながら、草刈機の前後を隠すように飛石防止ネット１０をガードレール２０に沿って移動させる。これにより、ガードレール２０を超えて飛び込もうとする石を防除することができ、また路面すれすれの位置から飛び込もうとする石を可撓性ネット１５により防除することができる。
【００２１】
本実施の形態の飛石防止ネット１０をガードケーブル３０に設置した状態を図７，図８に示す。すなわち、ガードケーブル３０の一番上のケーブルに滑車１２が乗るようにセットし、アングル１４に張られた可撓性ネット１５が道路の縁石等の段差を覆うようにし、チェーン１６が車道側に垂れるようにする。このとき、ローラー１３はガードケーブル３０の中途の複数のケーブルに同時に接触しており、ネット本体１１を垂直状態に支持する。
【００２２】
この状態で、草刈機を用いた草刈りをしながら、草刈機の前後を隠すように飛石防止ネット１０をガードケーブル３０に沿って移動させる。これにより、ガードケーブル３０を超えて飛び込もうとする石を防除することができ、また路面すれすれの位置から飛び込もうとする石を可撓性ネット１５により防除することができる。
【産業上の利用可能性】
【００２３】
本考案は、ガードレールまたはガードケーブル上を移動でき、かつガードレールよりも高い位置から飛びこもうとする石、あるいは路面すれすれの位置から飛び込もうとする石を防除して、道路への石の侵入を効果的に防止することのできる盛土法面の草刈り作業用飛石防止ネットとして、高速道路、一般道路の盛土法面の草刈り作業に好適に利用することができる。
【符号の説明】
【００２４】
１０  草刈り作業用飛石防止ネット（飛石防止ネット）
１１  ネット本体
１２  滑車
１３  ローラー
１４  アングル
１５  可撓性ネット
１６  チェーン
１７  アーム
２０  ガードレール
３０  ガードケーブル
【図１】
0003175688.tif 000003
【図２】
0003175688.tif 000004
【図３】
0003175688.tif 000005
【図４】
0003175688.tif 000006
【図５】
0003175688.tif 000007
【図６】
0003175688.tif 000008
【図７】
0003175688.tif 000009
【図８】
0003175688.tif 000010